(57)【要約】【課題】  マスターブランチ、スレーブブランチを固定することなく任意にマスターブランチ、スレーブブランチを切替えて最適なダイバシチ合成を行う。【解決手段】  このディジタル放送受信機における周波数ダイバシチ受信装置は、シンボルの受信毎に、一方のブランチをマスターブランチ、他方のブランチをスレーブブランチとして選択するマスター判定部、を有するブランチ制御部と、マスター判定部によって選択されたマスターブランチからの受信データと、マスター判定部によって選択されたスレーブブランチからの受信データと、を最大比合成する最大比合成部と、を具備する。マスター判定部は、各ブランチのシンボルタイミング信号、受信レベル、ＣＮ比又はＰＷＭ電力値に基づいてマスターブランチを選択する。【選択図】      図１
2005136820.tif 000002
【特許請求の範囲】
【請求項１】
ディジタル放送受信機における周波数ダイバシチ受信装置であって、
各ブランチの受信状態を検出する受信状態検出部と、
前記受信状態検出部の検出結果に基づき、一方のブランチをマスターブランチ、他方のブランチをスレーブブランチとして選択するマスター判定部、を有するブランチ制御部と、
前記マスター判定部によって選択されたマスターブランチからの受信データと、前記マスター判定部によって選択されたスレーブブランチからの受信データと、を最大比合成する最大比合成部と、
を具備することを特徴とする周波数ダイバシチ受信装置。
【請求項２】
前記ブランチ制御部は、前記受信状態検出部によってスレーブブランチによる受信状態の悪化が検出されたときに２ブランチ合成状態から１ブランチ動作状態へと切替える制御を行うスレーブ合成可否判定部、を更に具備する、請求項１に記載の周波数ダイバシチ受信装置。
【請求項３】
前記スレーブ合成可否判定部は、前記受信状態検出部によって現在合成対象とされていないスレーブブランチによる受信状態が良好となったことが検出されたときに１ブランチ動作状態から２ブランチ合成状態へと切替える制御をも行うものである、請求項２に記載の周波数ダイバシチ受信装置。
【請求項４】
前記スレーブ合成可否判定部は、前記受信状態検出部によって現在合成対象とされていないスレーブブランチによる受信状態が良好となったことが検出され且つマスターブランチによる受信状態の悪化が検出されたときに一方のブランチによる１ブランチ動作状態から他方のブランチによる１ブランチ動作状態へと切替える制御をも行うものである、請求項２に記載の周波数ダイバシチ受信装置。
【請求項５】
前記受信状態検出部は、各ブランチのシンボルタイミング信号に基づいて受信状態を検出する、請求項１から請求項４までのいずれか一項に記載の周波数ダイバシチ受信装置。
【請求項６】
前記受信状態検出部は、各ブランチの受信レベルに基づいて受信状態を検出する、請求項１から請求項４までのいずれか一項に記載の周波数ダイバシチ受信装置。
【請求項７】
前記受信状態検出部は、各ブランチのＣＮ比に基づいて受信状態を検出する、請求項１から請求項４までのいずれか一項に記載の周波数ダイバシチ受信装置。
【請求項８】
前記受信状態検出部は、各ブランチのＰＷＭ電力値に基づいて受信状態を検出する、請求項１から請求項４までのいずれか一項に記載の周波数ダイバシチ受信装置。
【請求項９】
前記受信状態検出部は、各ブランチの受信レベルの変化量に基づいて受信状態を検出する、請求項１から請求項４までのいずれか一項に記載の周波数ダイバシチ受信装置。
【請求項１０】
前記受信状態検出部は、各ブランチのＣＮ比の変化量に基づいて受信状態を検出する、請求項１から請求項４までのいずれか一項に記載の周波数ダイバシチ受信装置。
【請求項１１】
前記受信状態検出部は、各ブランチのＰＷＭ電力値の変化量に基づいて受信状態を検出する、請求項１から請求項４までのいずれか一項に記載の周波数ダイバシチ受信装置。
【請求項１２】
前記マスター判定部は、シンボルの受信に対応して、マスターブランチとスレーブブランチの選択を行う、請求項１に記載の周波数ダイバシチ受信装置。
【発明の詳細な説明】
【技術分野】
【０００１】
本発明は、ディジタル放送受信機における周波数ダイバシチ受信装置に関する。
【背景技術】
【０００２】
地上波ディジタルＴＶ（テレビジョン）放送をはじめとするディジタル放送の受信機において、周波数ダイバシチ受信技術が用いられている。ダイバシチ受信は、２種以上の受信信号の中から選択又は組合せを行うことによりフェージングの影響のない受信信号を得る受信方法であり、特に、周波数ダイバシチ受信は、異なる複数の搬送波で送信された同一信号を受信して選択又は合成をすることにより特性改善を図る受信方法である（例えば、下記特許文献１参照）。
【０００３】
従来、周波数ダイバシチ受信装置においては、ブランチ合成の簡略化を図るため、受信状態やタイミングに依存することなく、一方のブランチをマスター、他方のブランチをスレーブというように、各ブランチの優先順位が固定されている方式がよく用いられる。
【０００４】
このようにブランチの優先順位が固定されている方式の場合、スレーブ側のブランチが受信できていても、マスター側のブランチが受信できていない場合には、装置全体としては受信することができないこととなる。
【０００５】
したがって、２ブランチ合成状態から任意の一方のブランチによる１ブランチ動作状態への遷移は不可能であり、２ブランチ合成状態、１ブランチ動作状態ともに、マスターブランチが受信できていることが受信動作の前提となる。すなわち、スレーブブランチの受信のみによる良好な受信は不可能である。
【０００６】
また、スレーブブランチが良好に受信できており、マスターブランチがかろうじて受信できている状態においても、マスターブランチを含む２ブランチで合成を行わなければならず、スレーブブランチにマスターブランチのノイズが混入することとなり、最適なブランチ合成とはならない。
【０００７】
【特許文献１】特開平１０−９８４２４号公報
【発明の開示】
【発明が解決しようとする課題】
【０００８】
本発明は、上述した問題点に鑑みてなされたものであり、その目的は、従来のようにマスターブランチ、スレーブブランチを固定することなく任意にマスターブランチ、スレーブブランチを切替えて最適なダイバシチ合成を行う周波数ダイバシチ受信装置を提供することにある。また、本発明の目的は、２（複数）ブランチ合成状態と任意の１ブランチ動作状態とを随時切替えることで受信性能を向上させた周波数ダイバシチ受信装置を提供することにある。さらに、本発明の目的は、２（複数）ブランチ合成状態から１ブランチ動作状態への切替えの際にマスター、スレーブを意識することのない最適なブランチ動作を可能とすることでノイズの混入を防止して受信性能を向上させた周波数ダイバシチ受信装置を提供することにある。
【課題を解決するための手段】
【０００９】
上記目的を達成するために、本発明によれば、ディジタル放送受信機における周波数ダイバシチ受信装置であって、各ブランチの受信状態を検出する受信状態検出部と、前記受信状態検出部の検出結果に基づき、一方のブランチをマスターブランチ、他方のブランチをスレーブブランチとして選択するマスター判定部、を有するブランチ制御部と、前記マスター判定部によって選択されたマスターブランチからの受信データと、前記マスター判定部によって選択されたスレーブブランチからの受信データと、を最大比合成する最大比合成部と、を具備することを特徴とする周波数ダイバシチ受信装置が提供される。
【００１０】
また、本発明によれば、前記ブランチ制御部は、前記受信状態検出部によってスレーブブランチによる受信状態の悪化が検出されたときに２ブランチ合成状態から１ブランチ動作状態へと切替える制御を行うスレーブ合成可否判定部、を更に具備する。
【００１１】
また、本発明によれば、前記スレーブ合成可否判定部は、前記受信状態検出部によって現在合成対象とされていないスレーブブランチによる受信状態が良好となったことが検出されたときに１ブランチ動作状態から２ブランチ合成状態へと切替える制御をも行うものである。
【００１２】
また、本発明によれば、前記スレーブ合成可否判定部は、前記受信状態検出部によって現在合成対象とされていないスレーブブランチによる受信状態が良好となったことが検出され且つマスターブランチによる受信状態の悪化が検出されたときに一方のブランチによる１ブランチ動作状態から他方のブランチによる１ブランチ動作状態へと切替える制御をも行うものである。
【００１３】
ここで、本発明によれば、前記受信状態検出部は、各ブランチのシンボルタイミング信号に基づいて受信状態を検出する。
【００１４】
あるいは、前記受信状態検出部は、各ブランチの受信レベルに基づいて受信状態を検出する。
【００１５】
あるいは、前記受信状態検出部は、各ブランチのＣＮ比に基づいて受信状態を検出する。
【００１６】
あるいは、前記受信状態検出部は、各ブランチのＰＷＭ電力値に基づいて受信状態を検出する。
【００１７】
あるいは、前記受信状態検出部は、各ブランチの受信レベルの変化量に基づいて受信状態を検出する。
【００１８】
あるいは、前記受信状態検出部は、各ブランチのＣＮ比の変化量に基づいて受信状態を検出する。
【００１９】
あるいは、前記受信状態検出部は、各ブランチのＰＷＭ電力値の変化量に基づいて受信状態を検出する。
【００２０】
また、本発明によれば、前記マスター判定部は、シンボルの受信に対応して、マスターブランチとスレーブブランチの選択を行う。
【発明の効果】
【００２１】
本発明による周波数ダイバシチ受信装置によれば、従来のようにマスターブランチ、スレーブブランチを固定することなく任意にマスターブランチ、スレーブブランチを切替えて最適なダイバシチ合成を行うことができる。また、２ブランチ合成状態と任意の１ブランチ動作状態とを随時切替えることで受信性能を向上させることが可能となる。さらには、２ブランチ合成状態から１ブランチ動作状態への切替えの際にマスター、スレーブを意識することのない最適なブランチ動作を可能とすることでノイズの混入を防止して受信性能を向上させることが可能となる。
【発明を実施するための最良の形態】
【００２２】
以下、添付図面を参照して本発明の実施形態について説明する。
【００２３】
図１は、本発明の一実施形態としてのディジタルＴＶ放送受信機用周波数ダイバシチ受信装置の構成を示すブロック図である。同図に示されるように、第一のアンテナ１０には、第一のチューナ１２を介して、ＯＦＤＭ復調を行う第一のブランチ受信部２０が接続されている。なお、ＯＦＤＭは、移動体向けディジタル放送に適した変調方式である直交周波数分割多重（Orthogonal Frequency Division Multiplexing）である。
【００２４】
この第一のブランチ受信部２０には、ＣＮ比（carrier to noise ratio, 搬送波対雑音比）計測部２２、受信レベル検出部２４及びＰＷＭ電力計測部２６が設けられている。なお、このＰＷＭ（Pulse Width Modulation、パルス幅変調）は、自動利得制御における制御量すなわちＡＧＣ（Automatic Gain Control）制御量を与えるものである。
【００２５】
同様に、第二のアンテナ３０、第二のチューナ３２及び第二のブランチ受信部４０が設けられ、第二のブランチ受信部４０には、ＣＮ比計測部４２、受信レベル検出部４４及びＰＷＭ電力計測部４６が設けられている。
【００２６】
第一のブランチ受信部２０及び第二のブランチ受信部４０の後段には、周波数分割ダイバシチ部５０が接続されている。この周波数分割ダイバシチ部５０には、第一のブランチ受信部２０からの受信信号に基づいてパワーを算出する第一のパワー算出部５２と、受信信号及び算出されたパワーを格納する第一のタイミングバッファ５４とが設けられている。また、第二のブランチに対しても、第二のパワー算出部５６と第二のタイミングバッファ５８とが設けられている。
【００２７】
また、周波数分割ダイバシチ部５０には、第一のタイミングバッファ５４と第二のタイミングバッファ５８とから同期してシンボルデータを出力させるように制御するバッファコントロール部６０が設けられている。同期して出力された第一のタイミングバッファ５４からのデータと第二のタイミングバッファ５８からのデータとは、最大比合成部６２において、一方のブランチ（マスターブランチ）のデータに他方のブランチ（スレーブブランチ）のデータが、それらのパワー値の比に基づいて合成される。最大比合成部６２の出力は、図示しない誤り訂正部に導かれる。
【００２８】
バッファコントロール部６０を制御するために、その前段にブランチ制御部７０が設けられている。ブランチ制御部７０の構成が図２に示される。同図に示されるように、ブランチ制御部７０は、マスター判定部７２、スレーブ合成可否判定部７４及び動作ブランチ数制御部７６から構成される。
【００２９】
マスター判定部７２は、第一のブランチ受信部２０及び第二のブランチ受信部４０の各々からシンボルタイミング信号、ＣＮ比計測値信号、受信レベル信号及びＰＷＭ電力値信号を受信する。そして、マスター判定部７２は、いずれかのブランチをマスターブランチとして選択するが、その選択基準の一つとして各ブランチからのシンボルタイミング信号を使用する。
【００３０】
具体的な動作として、マスター判定部７２は、動作スタート後、各ブランチからのシンボルタイミング信号をモニターし、先にシンボルタイミング信号を送出してきた方のブランチをマスターブランチとし、他方のブランチをスレーブブランチとする判定を行う。その判定結果は、マスター判定信号として動作ブランチ数制御部７６に送られ、さらに、動作ブランチ数制御部７６から、ブランチ合成ステータス信号としてバッファコントロール部６０に送られる。かくして、先にシンボルタイミング信号を送出してきた方のブランチをマスターブランチとし、他方のブランチをスレーブブランチとして２ブランチの合成が行われる。
【００３１】
その後、現マスターブランチのシンボルタイミングよりも規定時間内前に現スレーブブランチのシンボルタイミング信号が来た場合には、マスター判定部７２は、現スレーブブランチを新たなマスターブランチとする切替えを行う。こうすることで、シンボル受信毎に、任意のブランチがマスター、スレーブに随時切替わり、最適なブランチ合成が可能となる。
【００３２】
あるいは、マスター判定部７２は、マスターブランチの選択基準として各ブランチからの受信レベル信号を使用することができる。具体的な動作として、マスター判定部７２は、動作スタート後、受信レベルの高い方のブランチをマスターブランチとし、他方のブランチをスレーブブランチとする判定を行う。その後、現マスターブランチの受信レベルよりも現スレーブブランチの受信レベルが良好となった場合、マスター判定部７２は、現スレーブブランチを新たなマスターブランチとする切替えを行う。こうすることで、任意のブランチがマスター、スレーブに随時切替わり、最適なブランチ合成が可能となる。
【００３３】
あるいは、マスター判定部７２は、マスターブランチの選択基準として各ブランチからのＣＮ比計測値信号を使用することができる。具体的な動作として、マスター判定部７２は、動作スタート後、ＣＮ比の良好な（すなわち高い）方のブランチをマスターブランチとし、他方のブランチをスレーブブランチとする判定を行う。その後、現マスターブランチのＣＮ比よりも現スレーブブランチのＣＮ比が良好となった場合、マスター判定部７２は、現スレーブブランチを新たなマスターブランチとする切替えを行う。こうすることで、任意のブランチがマスター、スレーブに随時切替わり、最適なブランチ合成が可能となる。
【００３４】
あるいは、マスター判定部７２は、マスターブランチの選択基準として各ブランチからのＰＷＭ電力値信号を使用することができる。具体的な動作として、マスター判定部７２は、動作スタート後、ＡＧＣ制御量を表すＰＷＭ電力値が小さい方のブランチをマスターブランチとし、他方のブランチをスレーブブランチとする判定を行う。その後、現マスターブランチのＰＷＭ電力値よりも現スレーブブランチのＰＷＭ電力値が小さくなった場合、マスター判定部７２は、現スレーブブランチを新たなマスターブランチとする切替えを行う。こうすることで、任意のブランチがマスター、スレーブに随時切替わり、最適なブランチ合成が可能となる。
【００３５】
あるいは、マスター判定部７２は、マスターブランチの選択基準として各ブランチからの受信レベル信号の変化量を使用することができる。具体的な動作として、マスター判定部７２は、動作スタート後、受信レベルの高い方のブランチをマスターブランチとし、他方のブランチをスレーブブランチとする判定を行う。その後、現マスターブランチの受信レベル信号が増加側又は減少側へ急変した場合、マスター判定部７２は、現マスターブランチの受信状態が不安定であると判断し、現スレーブブランチを新たなマスターブランチとする切替えを行う。こうすることで、任意のブランチがマスター、スレーブに随時切替わり、最適なブランチ合成が可能となる。なお、かかる急変の判断のために、受信レベル変化量についての基準値を設けることとなるが、この基準値は任意に設定可能な可変量としておくことが好ましい。
【００３６】
あるいは、マスター判定部７２は、マスターブランチの選択基準として各ブランチのＣＮ比計測値信号の変化量を使用することができる。具体的な動作として、マスター判定部７２は、動作スタート後、ＣＮ比計測値の良好な方のブランチをマスターブランチとし、他方のブランチをスレーブブランチとする判定を行う。その後、現マスターブランチのＣＮ比計測値が減少側へ急変した場合、マスター判定部７２は、現マスターブランチの受信状態が不安定であると判断し、現スレーブブランチを新たなマスターブランチとする切替えを行う。こうすることで、任意のブランチがマスター、スレーブに随時切替わり、最適なブランチ合成が可能となる。なお、かかる急変の判断のために、ＣＮ比計測値変化量についての基準値を設けることとなるが、この基準値は任意に設定可能な可変量としておくことが好ましい。
【００３７】
あるいは、マスター判定部７２は、マスターブランチの選択基準として各ブランチのＰＷＭ電力値信号の変化量を使用することができる。具体的な動作として、マスター判定部７２は、動作スタート後、ＰＷＭ電力値の小さい方のブランチをマスターブランチとし、他方のブランチをスレーブブランチとする判定を行う。その後、現マスターブランチのＰＷＭ電力値が増加側又は減少側へ急変した場合、マスター判定部７２は、現マスターブランチの受信状態が不安定であると判断し、現スレーブブランチを新たなマスターブランチとする切替えを行う。こうすることで、任意のブランチがマスター、スレーブに随時切替わり、最適なブランチ合成が可能となる。なお、かかる急変の判断のために、ＰＷＭ電力値変化量についての基準値を設けることとなるが、この基準値は任意に設定可能な可変量としておくことが好ましい。
【００３８】
ところで、２ブランチのうちの一方のブランチの受信状態が極端に悪化した場合には、マスターとスレーブとを任意に切替えても、２ブランチで合成を行っている限り、ノイズが混入してしまい、受信性能が下がってしまうという問題がある。そのため、ダイバシチ部５０内のブランチ制御部７０において２ブランチ合成状態から任意の一方のブランチによる１ブランチ動作状態に切替えることで受信性能を向上させることができるようにすることが好ましい。
【００３９】
そこで、図２に示されるように、ブランチ制御部７０には、スレーブブランチによる受信状態の悪化が検出されたときに２ブランチ合成状態から１ブランチ動作状態へと切替える制御を行うスレーブ合成可否判定部７４が設けられている。このスレーブ合成可否判定部７４は、マスター判定部７２を介して、スレーブブランチからのシンボルタイミング信号、ＣＮ比計測値信号、受信レベル信号及びＰＷＭ電力値信号を受信する一方、スレーブ合成可否判定信号を動作ブランチ数制御部７６に対して出力する。動作ブランチ数制御部７６は、このスレーブ合成可否判定信号とマスター判定部７２からのマスター判定信号とに基づいて、動作ブランチ数を制御するためのブランチ合成ステータス信号をバッファコントロール部６０に対し出力する。
【００４０】
スレーブ合成可否判定部７４は、スレーブブランチをマスターブランチと合成すべきか否かの判断をするが、その判断基準の一つとしてスレーブブランチからのシンボルタイミング信号を使用する。具体的な動作として、スレーブ合成可否判定部７４は、２ブランチによる動作中、スレーブブランチのシンボルタイミング信号をモニターし、そのシンボルタイミング信号がマスターブランチのシンボルタイミング信号に対して所定期間以上遅延した場合に、スレーブブランチを合成対象としないとする判定をする。この所定期間としては、例えば、ＯＦＤＭにおけるガードインターバル期間を採用することができる。
【００４１】
また、スレーブ合成可否判定部７４は、現マスターブランチのシンボルタイミング信号よりもスレーブブランチのシンボルタイミング信号が先に来た場合において、スレーブブランチのシンボルタイミング信号から現マスターブランチのシンボルタイミング信号を見て所定期間（例えば、ガードインターバル期間）よりも大きいときには、スレーブブランチを合成対象としない。
【００４２】
このようにシンボルタイミング信号によって判断を行う場合には、タイミングの基準がマスターブランチであるため、スレーブブランチだけが合成対象から外れることとなる。よって、実際は任意の１ブランチ動作になっていないが、マスターブランチが任意のブランチになっているため、実質的に任意の１ブランチ動作となっている。
【００４３】
あるいは、スレーブ合成可否判定部７４は、スレーブブランチをマスターブランチと合成すべきか否かの判断をするための基準として、受信レベル信号を使用することができる。具体的な動作として、スレーブ合成可否判定部７４は、２ブランチでの動作中、スレーブブランチの受信レベルがある一定の受信レベルを下回った場合には、スレーブブランチを合成対象としない。受信レベルに基づいてマスターブランチを選択している場合には、結果として、マスター、スレーブに依存することなく、ある一定の受信レベルを下回ったブランチが合成対象とされないこととなる。
【００４４】
あるいは、スレーブ合成可否判定部７４は、スレーブブランチをマスターブランチと合成すべきか否かの判断をするための基準として、ＣＮ比計測値信号を使用することができる。具体的な動作として、スレーブ合成可否判定部７４は、２ブランチでの動作中、スレーブブランチのＣＮ比計測値がある一定のＣＮ比を下回った場合には、スレーブブランチを合成対象としない。ＣＮ比計測値に基づいてマスターブランチを選択している場合には、結果として、マスター、スレーブに依存することなく、ある一定のＣＮ比を下回ったブランチが合成対象とされないこととなる。
【００４５】
あるいは、スレーブ合成可否判定部７４は、スレーブブランチをマスターブランチと合成すべきか否かの判断をするための基準として、ＰＷＭ電力値信号を使用することができる。具体的な動作として、スレーブ合成可否判定部７４は、２ブランチでの動作中、スレーブブランチのＰＷＭ電力値がある一定の値を上回った場合には、スレーブブランチを合成対象としない。ＰＷＭ電力値に基づいてマスターブランチを選択している場合には、結果として、マスター、スレーブに依存することなく、ある一定のＰＷＭ電力値を上回ったブランチが合成対象とされないこととなる。
【００４６】
あるいは、スレーブ合成可否判定部７４は、スレーブブランチをマスターブランチと合成すべきか否かの判断をするための基準として、受信レベル信号の変化量を使用することができる。具体的な動作として、スレーブ合成可否判定部７４は、２ブランチでの動作中、スレーブブランチの受信レベルが増加側又は減少側へ急変した場合、受信状態が安定していないと判断できるため、スレーブブランチを合成対象としない。受信レベルの変化量に基づいてマスターブランチを選択している場合には、結果として、マスター、スレーブに依存することなく、受信レベルの急変があったブランチが合成対象とされないこととなる。
【００４７】
あるいは、スレーブ合成可否判定部７４は、スレーブブランチをマスターブランチと合成すべきか否かの判断をするための基準として、ＣＮ比計測値信号の変化量を使用することができる。具体的な動作として、スレーブ合成可否判定部７４は、２ブランチでの動作中、スレーブブランチのＣＮ比計測値が減少側へ急変した場合、受信状態が安定していないと判断できるため、スレーブブランチを合成対象としない。ＣＮ比の変化量に基づいてマスターブランチを選択している場合には、結果として、マスター、スレーブに依存することなく、ＣＮ比の急減があったブランチが合成対象とされないこととなる。
【００４８】
あるいは、スレーブ合成可否判定部７４は、スレーブブランチをマスターブランチと合成すべきか否かの判断をするための基準として、ＰＷＭ電力値信号の変化量を使用することができる。具体的な動作として、スレーブ合成可否判定部７４は、２ブランチでの動作中、スレーブブランチのＰＷＭ電力値が増加側又は減少側へ急変した場合、受信状態が安定していないと判断できるため、スレーブブランチを合成対象としない。ＰＷＭ電力値の変化量に基づいてマスターブランチを選択している場合には、結果として、マスター、スレーブに依存することなく、ＰＷＭ電力値の急変があったブランチが合成対象とされないこととなる。
【００４９】
ところで、任意の１ブランチで動作している場合、そのブランチはマスターブランチとなっており、他方のブランチがスレーブとなり、合成対象から外されていることとなる。その状態からスレーブ側が受信良好となった場合には、即座に２ブランチ合成状態に切替え、受信性能を向上させる必要がある。そこで、スレーブ合成可否判定部７４は、現在合成対象とされていないスレーブブランチによる受信状態が良好となったことを検出したときに１ブランチ動作状態から２ブランチ合成状態へと切替える制御をも行う。
【００５０】
スレーブ合成可否判定部７４は、現在合成対象とされていないスレーブブランチをマスターブランチと合成すべきか否かの判断をするが、その判断基準の一つとしてスレーブブランチからのシンボルタイミング信号を使用する。具体的な動作として、スレーブ合成可否判定部７４は、１ブランチによる動作中、スレーブブランチのシンボルタイミング信号をモニターし、そのシンボルタイミング信号がマスターブランチのシンボルタイミング信号に対して所定期間（例えば、ＯＦＤＭにおけるガードインターバル期間）内に来た場合に、スレーブブランチを合成対象とする判定をする。
【００５１】
また、スレーブ合成可否判定部７４は、現マスターブランチのシンボルタイミング信号よりもスレーブブランチのシンボルタイミング信号が先に来た場合において、スレーブブランチのシンボルタイミング信号から現マスターブランチのシンボルタイミング信号を見て所定期間（例えば、ガードインターバル期間）よりも小さいときには、スレーブブランチを合成対象とする。
【００５２】
あるいは、スレーブ合成可否判定部７４は、現在合成対象とされていないスレーブブランチをマスターブランチと合成すべきか否かの判断をするための基準として、受信レベル信号を使用することができる。具体的な動作として、スレーブ合成可否判定部７４は、１ブランチでの動作中、ある一定の受信レベルを下回っていたスレーブブランチの受信レベルがその一定の受信レベルを上回った場合に、スレーブブランチを合成対象とする。これによって効率良く２ブランチ合成が行われるため、受信性能が向上する。
【００５３】
あるいは、スレーブ合成可否判定部７４は、現在合成対象とされていないスレーブブランチをマスターブランチと合成すべきか否かの判断をするための基準として、ＣＮ比計測値信号を使用することができる。具体的な動作として、スレーブ合成可否判定部７４は、１ブランチでの動作中、ある一定のＣＮ比を下回っていたスレーブブランチのＣＮ比計測値がその一定のＣＮ比を上回った場合に、スレーブブランチを合成対象とする。これによって効率良く２ブランチ合成が行われるため、受信性能が向上する。
【００５４】
あるいは、スレーブ合成可否判定部７４は、現在合成対象とされていないスレーブブランチをマスターブランチと合成すべきか否かの判断をするための基準として、ＰＷＭ電力値信号を使用することができる。具体的な動作として、スレーブ合成可否判定部７４は、１ブランチでの動作中、ある一定のＰＷＭ電力値を上回っていたスレーブブランチのＰＷＭ電力値がその一定のＰＷＭ電力値を下回った場合に、スレーブブランチを合成対象とする。これによって効率良く２ブランチ合成が行われるため、受信性能が向上する。
【００５５】
ところで、前述のように、任意の１ブランチで動作している場合、そのブランチはマスターブランチとなっており、他方のブランチがスレーブとなり、合成対象から外されていることとなる。その状態からスレーブ側が受信良好となった場合、通常は即座に２ブランチ合成状態に切替えられるが、その時点でマスター側の受信状態が悪化しているときには、新スレーブ（旧マスター）を新マスター（旧スレーブ）に合成させるとノイズが混入してしまい受信性能が下がってしまう。かかる場合には、ダイバシチ部５０内のブランチ制御部７０において動作ブランチを切替えるだけで１ブランチ動作状態を維持するようにすることで受信性能の劣化を防止することができるようにすることが好ましい。そこで、スレーブ合成可否判定部７４は、現在合成対象とされていないスレーブブランチによる受信状態が良好となったことを検出し且つマスターブランチによる受信状態の悪化が検出されたときに一方のブランチによる１ブランチ動作状態から他方のブランチによる１ブランチ動作状態へと切替える制御をも行う。
【００５６】
スレーブ合成可否判定部７４は、一方のブランチによる１ブランチ動作状態から他方のブランチによる１ブランチ動作状態へと切替える制御を行うべきか否かの判断をするための基準として、受信レベル信号を使用することができる。具体的な動作として、スレーブ合成可否判定部７４は、１ブランチでの動作中、ある一定の受信レベルを下回っていたスレーブブランチの受信レベルがその一定の受信レベルを上回るとともに、ほぼ同時に動作中のマスターブランチの受信レベルがある一定の受信レベルを下回った場合、動作ブランチを切替えるのみで１ブランチ動作を維持させる判定を行う。これによってノイズの混入を防ぐことができるため、受信性能の悪化を回避することができる。
【００５７】
あるいは、スレーブ合成可否判定部７４は、一方のブランチによる１ブランチ動作状態から他方のブランチによる１ブランチ動作状態へと切替える制御を行うべきか否かの判断をするための基準として、ＣＮ比計測値信号を使用することができる。具体的な動作として、スレーブ合成可否判定部７４は、１ブランチでの動作中、ある一定のＣＮ比を下回っていたスレーブブランチのＣＮ比計測値がその一定のＣＮ比を上回るとともに、ほぼ同時に動作中のマスターブランチのＣＮ比計測値がある一定のＣＮ比を下回った場合、動作ブランチを切替えるのみで１ブランチ動作を維持させる判定を行う。これによってノイズの混入を防ぐことができるため、受信性能の悪化を回避することができる。
【００５８】
あるいは、スレーブ合成可否判定部７４は、一方のブランチによる１ブランチ動作状態から他方のブランチによる１ブランチ動作状態へと切替える制御を行うべきか否かの判断をするための基準として、ＰＷＭ電力値信号を使用することができる。具体的な動作として、スレーブ合成可否判定部７４は、１ブランチでの動作中、ある一定のＰＷＭ電力値を上回っていたスレーブブランチのＰＷＭ電力値がその一定のＰＷＭ電力値を下回るとともに、ほぼ同時に動作中のマスターブランチのＰＷＭ電力値がある一定のＰＷＭ電力値を上回った場合、動作ブランチを切替えるのみで１ブランチ動作を維持させる判定を行う。これによってノイズの混入を防ぐことができるため、受信性能の悪化を回避することができる。
【００５９】
あるいは、スレーブ合成可否判定部７４は、一方のブランチによる１ブランチ動作状態から他方のブランチによる１ブランチ動作状態へと切替える制御を行うべきか否かの判断をするための基準として、受信レベル信号の変化量を使用することができる。具体的な動作として、スレーブ合成可否判定部７４は、１ブランチでの動作中、ある一定の受信レベルを下回っていたスレーブブランチの受信レベルがその一定の受信レベルを上回るとともに、ほぼ同時に動作中のマスターブランチの受信レベルが増加側又は減少側へ急変した場合、動作ブランチを切替えるのみで１ブランチ動作を維持させる判定を行う。これによってノイズの混入を防ぐことができるため、受信性能の悪化を回避することができる。
【００６０】
あるいは、スレーブ合成可否判定部７４は、一方のブランチによる１ブランチ動作状態から他方のブランチによる１ブランチ動作状態へと切替える制御を行うべきか否かの判断をするための基準として、ＣＮ比計測値信号の変化量を使用することができる。具体的な動作として、スレーブ合成可否判定部７４は、１ブランチでの動作中、ある一定のＣＮ比を下回っていたスレーブブランチのＣＮ比計測値がその一定の受信レベルを上回るとともに、ほぼ同時に動作中のマスターブランチのＣＮ比計測値が減少側へ急変した場合、動作ブランチを切替えるのみで１ブランチ動作を維持させる判定を行う。これによってノイズの混入を防ぐことができるため、受信性能の悪化を回避することができる。
【００６１】
あるいは、スレーブ合成可否判定部７４は、一方のブランチによる１ブランチ動作状態から他方のブランチによる１ブランチ動作状態へと切替える制御を行うべきか否かの判断をするための基準として、ＰＷＭ電力値信号の変化量を使用することができる。具体的な動作として、スレーブ合成可否判定部７４は、１ブランチでの動作中、ある一定のＰＷＭ電力値を上回っていたスレーブブランチのＰＷＭ電力値がその一定のＰＷＭ電力値を下回るとともに、ほぼ同時に動作中のマスターブランチのＰＷＭ電力値が増加側又は減少側へ急変した場合、動作ブランチを切替えるのみで１ブランチ動作を維持させる判定を行う。これによってノイズの混入を防ぐことができるため、受信性能の悪化を回避することができる。
【図面の簡単な説明】
【００６２】
【図１】本発明による周波数ダイバシチ受信装置の一実施形態の構成を示すブロック図である。
【図２】図１におけるブランチ制御部の構成を示すブロック図である。
【符号の説明】
【００６３】
１０…第一のアンテナ１０
１２…第一のチューナ
２０…第一のブランチ受信部
２２…ＣＮ比計測部
２４…受信レベル検出部
２６…ＰＷＭ電力計測部
３０…第二のアンテナ
３２…第二のチューナ
４０…第二のブランチ受信部
４２…ＣＮ比計測部
４４…受信レベル検出部
４６…ＰＷＭ電力計測部
５０…周波数分割ダイバシチ部
５２…第一のパワー算出部
５４…第一のタイミングバッファ
５６…第二のパワー算出部
５８…第二のタイミングバッファ
６０…バッファコントロール部
６２…最大比合成部
７０…ブランチ制御部
７２…マスター判定部
７４…スレーブ合成可否判定部
７６…動作ブランチ数制御部
【図１】
2005136820.tif 000003
【図２】
2005136820.tif 000004